(57)【要約】【課題】側板と内側板を挟み付ける方向の力が加わった場合に内側板が変形しにくく、被包装物の保護性能に優れた包装体を提供する。【解決手段】底板１の縁に沿って上方に折り曲げられた側板２，４を底板１の周囲に設け、各側板２，４の上縁に沿って内方に折り曲げられた内側板３，５を設け、その内側板３，５を、底板１と直角な面に沿った断面形状がくの字状となるように折り曲げ、その各内側板３，５の下縁を底板１の上面で支持し、側板２，４と内側板３，５とを底板１と直角な面に沿った断面形状が三角形状となるように配置した構成を包装体に採用する。【選択図】図１
2008074431.tif 000002
【特許請求の範囲】
【請求項１】
底板（１）の縁に沿って上方に折り曲げられた側板（２，４）を前記底板（１）の周囲に設け、前記各側板（２，４）の上縁に沿って内方に折り曲げられた内側板（３，５）を設け、その内側板（３，５）を、前記底板（１）と直角な面に沿った断面形状がくの字状となるように折り曲げ、その各内側板（３，５）の下縁を前記底板（１）の上面で支持し、前記側板（２，４）と前記内側板（３，５）とを前記底板（１）と直角な面に沿った断面形状が三角形状となるように配置した包装体。
【請求項２】
前記内側板（３，５）の下縁に沿って内方に折り曲げられた重合片（６，７）を設け、その重合片（６，７）を前記底板（１）に重ね合わせた請求項１に記載の包装体。
【請求項３】
前記底板（１）を方形状とし、その底板（１）を間に挟んで対向する一対の前記内側板（３，３）にそれぞれスリット（１７，１７）を設け、そのスリット（１７，１７）に、前記一対の内側板（３，３）を架け渡す仕切り部材（１８，１８）を挿入した請求項１または２に記載の包装体。
【発明の詳細な説明】
【技術分野】
【０００１】
この発明は、被包装物を保護する包装体に関する。
【背景技術】
【０００２】
被包装物を保護する包装体として、図８に示すように、底板３１の縁に沿って上方に折り曲げられた側板３２を底板３１の周囲に設け、各側板３２の上縁に沿って内方に折り曲げられた内側板３３を設け、その内側板３３を、底板３１と直角な面に沿った断面形状がくの字状となるように折り曲げ、その各内側板３３の下縁に沿って外方に折り曲げた重合片３４を底板３１の上面に重ね合わせ、側板３２と内側板３３とを底板３１と直角な面に沿った断面が台形状となるように配置した包装体が知られている（特許文献１）。
【０００３】
この包装体は、側板３２と内側板３３の間に空間を設けることにより、底板３１上の被包装物と外部との距離を確保し、外部からの衝撃から被包装物を保護するようにしている。
【特許文献１】実開昭５４−１３６１２６号公報
【発明の開示】
【発明が解決しようとする課題】
【０００４】
しかし、この包装体は、側板３２と内側板３３とを断面台形状に配置しているので、図５（ａ）に示すように、側板３２と内側板３３を挟み付ける方向の力が加わった場合、図５（ｂ）に示すように、内側板３３が容易に変形し、へこみやすい。内側板３３がこのように変形すると、側板３２と内側板３３の間の空間を確保することができず、被包装物の保護性能が低下する。
【０００５】
この発明が解決しようとする課題は、側板と内側板を挟み付ける方向の力が加わった場合に内側板が変形しにくく、被包装物の保護性能に優れた包装体を提供することである。
【課題を解決するための手段】
【０００６】
上記の課題を解決するため、底板の縁に沿って上方に折り曲げられた側板を前記底板の周囲に設け、前記各側板の上縁に沿って内方に折り曲げられた内側板を設け、その内側板の上縁と下縁の間に形成された折目線に沿って各内側板をくの字状に折り曲げ、その各内側板の下縁を前記底板の上面で支持し、前記側板と前記内側板とを前記底板と直角な面に沿った断面形状が三角形状となるように配置した構成を包装体に採用した。
【０００７】
この包装体は、前記内側板の下縁に沿って内方に折り曲げられた重合片を設け、その重合片を前記底板に重ね合わせることができる。また、前記底板を方形状とし、その底板を間に挟んで対向する一対の前記内側板にそれぞれスリットを設け、そのスリットに、前記一対の内側板を架け渡す仕切り部材を挿入することもできる。
【発明の効果】
【０００８】
この発明の包装体は、側板と内側板が断面三角形状の構造体を構成するので、側板と内側板を挟み付ける方向の力が加わった場合に、内側板が変形しにくく、被包装物の保護性能の低下を生じにくい。
【発明を実施するための最良の形態】
【０００９】
図１、図２に、この発明の包装トレーの実施形態を示す。この包装トレーは、段ボールからなり、方形の底板１と、底板１の両側縁に沿って上方に折り曲げられた側板２，２と、各側板２の上縁に沿って内方に折り曲げられた内側板３と、底板１の両端縁に沿って上方に折り曲げられた側板４，４と、各側板４の上縁に沿って内方に折り曲げられた内側板５とを有する。
【００１０】
内側板３は、図１に示すように、底板１と直角な面に沿った断面形状が、内方に突出するくの字状となるように折り曲げられ、内側板３の下縁に沿って内方に折り曲げられた重合片６が、底板１の上面に接着されている。ここで、内側板３の下縁は側板２の下縁に近接した配置とされ、側板２と内側板３は、底板１と直角な面に沿った断面形状が三角形状となっている。
【００１１】
内側板５も、底板１と直角な面に沿った断面形状が、内方に突出するくの字状となるように折り曲げられ、内側板５の下縁に沿って内方に折り曲げられた重合片７が、底板１の上面に重ね合わされている。また、内側板５の下縁は側板４の下縁に近接した配置とされ、側板４と内側板５は、底板１と直角な面に沿った断面形状が三角形状となっている。
【００１２】
内側板３の中央部には、切り起こし片８が形成されており、その切り起こし片８に、底板１上の被包装物を覆う化粧布（図示せず）の縁を係止可能となっている。
【００１３】
図３に、この包装トレーのブランクを示す。このブランクは、底板１の一方の側縁に、側板２、内側板３、重合片６が順に連設され、他方の側縁にも、側板２、内側板３、重合片６が順に連設されている。また、底板１の一方の端縁に、側板４、内側板５、重合片７が順に連設され、他方の端縁にも、側板４、内側板５、重合片７が順に連設されている。
【００１４】
側板２と内側板３の間には、二重罫線９が形成され、内側板３には、二重罫線９と平行な折目線１０が形成されている。また、側板４と内側板５の間にも二重罫線１１が形成され、内側板５には、二重罫線１１と平行な折目線１２が形成されている。内側板５の左右の縁１３，１３は、くの字状に入り込んだ形状に形成されている。
【００１５】
各側板２は、左右の縁に折込片１４，１４が連設され、内側板３も、左右の縁に折込片１５，１５が連設されている。また、各内側板３の中央部には、切り起こし片８を形成するコ字状の切目線１６が形成されている。
【００１６】
このブランクは、たとえば次のようにして組み立てることができる。まず、各内側板３と重合片６を二重罫線９に沿って折り返して重合片６を底板１に重ね合わせ、重合片６を底板１の上面に糊で接着する。つぎに、底板１の側縁に沿って各側板２を上方に折り曲げる。このとき、折目線１０に沿って内側板３がくの字状に折れ曲がり、側板２と内側板３が断面三角形状の構造体を構成する。つづいて、重なり合った折込片１４，１５を側板２、内側板３の左右の縁に沿って底板１の端縁の位置まで折り曲げ、その状態で、各側板４を底板１の端縁に沿って上方に折り曲げる。さらに、内側板５を折目線１２に沿ってくの字状に折り曲げ、その内側板５を側板４の上縁に沿って内方に折り曲げ、側板４と内側板５で折込片１４，１５を挟み込む。このとき、内側板５の左右の縁がくの字に入り込んだ形状なので、内側板５の左右の縁１３が内側板３の表面に沿った状態となり、内側板５の折目線１２よりも下側部分の左右の端部５ａが、内側板３の折目線１０よりも下側部分の浮き上がりを防止する。
【００１７】
この包装トレーは、側板２と内側板３が、底板１と直角な面に沿った断面形状が三角形状の構造体を構成する。そのため、図４に示すように、側板２と内側板３を挟み付ける方向の力が加わった場合に、内側板３が変形しにくく、図５（ａ）に示すように、側板３２と内側板３３が断面台形状となるように配置されたものに比べて、被包装物の保護性能の低下を生じにくい。同様に、側板４と内側板５も断面三角形状の構造体を構成するので、側板４と内側板５を挟み付ける方向の力が加わった場合に、被包装物の保護性能の低下を生じにくい。
【００１８】
また、この包装トレーは、内側板３の折目線１０よりも上側の部分が、外部から視認しやすい方向に傾斜しており、また、内側板５の折目線１２よりも上側の部分も同様に傾斜しているので、内側板３，５に模様や色彩を付すことにより、効果的に装飾性を付与することができる。
【００１９】
上記実施形態のように重合片６を底板１に接着する場合、側板２と内側板３の間の折目線は二重罫線９とすると好ましい。このようにすると、二重罫線９の位置で側板２と内側板３の寸法差を吸収可能となるので、底板１の側縁に沿って側板２を折り曲げる前の状態を扁平にすることができ、その扁平な状態で搬送、保管することにより、搬送コストを削減するとともに在庫スペースを小さくすることができる。
【００２０】
上記実施形態では、底板１を間に挟んで対向する内側板３，３にそれぞれ切り起こし片８を形成しているが、図６、図７に示すように、底板１を間に挟んで対向する内側板３，３にそれぞれスリット１７を設け、そのスリット１７に、内側板３，３を架け渡す仕切り部材１８を挿入してもよい。この場合、仕切り部材１８は、図に示すように底板１に重ねる内底板１９と一体に形成すると部品点数が少なくなり、経済的である。
【００２１】
また、上記実施形態では、包装体として、被包装物を底板上に載せる包装トレーを例に挙げて説明したが、この発明は、上下を反対にした状態で包装トレーに被せて用いる蓋体に適用することもできる。
【００２２】
また、上記実施形態では、底板１が方形状の包装トレーを例に挙げて説明しているが、この発明は、底板が他の形状の包装体にも適用することができ、たとえば底板が六角形状の包装体に適用することができる。
【図面の簡単な説明】
【００２３】
【図１】この発明の実施形態の包装トレーの一部を破断した状態を示す斜視図
【図２】図１の包装トレーの斜視図
【図３】図１の包装トレーのブランクを示す平面図
【図４】図１の包装トレーに側板と内側板を挟み付ける方向の力が加わった状態を示す拡大断面図
【図５】（ａ）は、従来の包装トレーに側板と内側板を挟み付ける方向の力が加わった状態を示す拡大断面図、（ｂ）は、従来の包装トレーに側板と内側板を挟み付ける方向の力が加わることによって内側板が変形した状態を示す拡大断面図
【図６】図１の包装トレーの変形例を示す分解斜視図
【図７】図６の包装トレーの斜視図
【図８】従来の包装体の一部を破断した状態を示す斜視図
【符号の説明】
【００２４】
１      底板
２      側板
３      内側板
４      側板
５      内側板
６，７  重合片
１７    スリット
１８    仕切り部材
【図１】
2008074431.tif 000003
【図２】
2008074431.tif 000004
【図３】
2008074431.tif 000005
【図４】
2008074431.tif 000006
【図５】
2008074431.tif 000007
【図６】
2008074431.tif 000008
【図７】
2008074431.tif 000009
【図８】
2008074431.tif 000010